(57)【特許請求の範囲】
【請求項１】
軸筒の内周面に形成された外カムと、
前記軸筒から後方に突出し、カム面が形成されたノック棒と、
前記軸筒内に配設され且つ射出成形によって成形された回転子であって、前記ノック棒に挿入される挿入部と、前記ノック棒と係合するカム部とを有し、前記カム部には、前記カム面と相補的な形状のカム受け面と、内カムとが形成され、該内カムは、前記カム面が前記カム受け面を押圧することによって該回転子が回転すると、前記外カムと前後方向に係合し又は該係合が解除されるように構成される、回転子と
から成るノック機構を備えたノック式筆記具において、
前記回転子が、中空部と、該中空部から該回転子の外面まで径方向外側に延びている通気路とを有し、前記中空部が前記カム部の前端から少なくとも該カム部の後端まで延び、前記挿入部の後端が閉塞しており、
前記通気路が前記カム部の前端において前記中空部から前記回転子の外面まで径方向外側に延びていることを特徴とする、ノック式筆記具。
【請求項２】
前記カム部の外周面には、前後方向に延在する４つの前記内カムが周方向に等間隔に形成されている、請求項１に記載のノック式筆記具。
【発明の詳細な説明】
【技術分野】
【０００１】
本発明はノック式筆記具に関する。
【背景技術】
【０００２】
従来、特許文献１及び２に開示されるように、筆記具の後端部をノックすること（ノック操作）によってペン先を出没させるノック式筆記具が知られている。ノック式筆記具は、軸筒の内周面に形成された外カムと、軸筒から後方に突出するノック棒と、軸筒内に配設された回転子とから成るノック機構を備える。
【０００３】
図６（ａ）〜（ｃ）は、それぞれ、従来技術に係る回転子８ａの正面図、平面図及び底面図である。図７は、図６（ｂ）のＢ−Ｂ線に沿った断面図である。回転子８ａは、ノック棒に挿入される挿入部８１ａと、ノック棒と係合するカム部８２ａとを有する。
【０００４】
カム部８２ａには、ノック棒のカム面が当接するカム受け面８３ａと、外カムと係合する内カム８４ａとが形成される。このため、カム部８２ａは高い寸法精度が要求される。一般的に、射出成形で部品を成形する場合、部品の肉厚部分に「ヒケ」と呼ばれる成形不良が発生することがある。このため、カム部８２ａの成形不良の発生を抑制すべく、カム部８２ａの内部を中空にして、カム部８２ａの肉厚をできるだけ均一且つ薄くすることが好ましい。
【０００５】
また、筆記具のインクは空気の圧力によってペン先から吐出される。このため、回転子８ａに当接したインク収容管内に回転子８ａを通して空気を送り込むために、回転子８ａには、前後方向に延びている貫通孔８７が形成されている。
【先行技術文献】
【特許文献】
【０００６】
【特許文献１】特開２０１２−２１０７４５号公報
【特許文献２】実用新案登録第３１５９５３５号公報
【発明の概要】
【発明が解決しようとする課題】
【０００７】
しかしながら、回転子を射出成形で成形する場合、回転子の内部にコアピンが延在し、回転子の外側にキャビティが配設される。したがって、挿入部の後端は、コアピンとキャビティとの合わせ面、いわゆるパーティング面となる。一般的に、パーティング面に隙間が発生すると、樹脂がその隙間に流れ込み、成形品にバリが形成される。挿入部の後端がパーティング面となる従来の回転子では、挿入部から後方に延在するバリが形成されることがあった。
【０００８】
バリが形成された回転子を用いて組み立てられたノック式筆記具では、バリがノック棒に当接し、回転子、ひいてはペン先の後退が妨げられることがある。この場合、ノック操作によってペン先を軸筒内に没入させることができないノック不良が引き起こされる。
【０００９】
そこで、本発明は、上記の問題点に鑑みてなされたものであって、インクの吐出性能を悪化させることなく、ヒケやバリといった回転子の成形不良の発生を抑制することができるノック式筆記具を提供することを目的とする。
【課題を解決するための手段】
【００１０】
本発明の第１態様では、軸筒の内周面に形成された外カムと、軸筒から後方に突出し、カム面が形成されたノック棒と、軸筒内に配設される回転子であって、ノック棒に挿入される挿入部と、ノック棒と係合するカム部とを有し、カム部には、カム面と相補的な形状のカム受け面と、内カムとが形成され、内カムは、カム面がカム受け面を押圧することによって回転子が回転すると、外カムと前後方向に係合し又は係合が解除されるように構成される、回転子とから成るノック機構を備えたノック式筆記具において、回転子が、中空部と、中空部から回転子の外面まで径方向外側に延びている通気路とを有し、中空部がカム部の前端から少なくともカム部の後端まで延び、挿入部の後端が閉塞していることを特徴とする、ノック式筆記具が提供される。
【００１１】
本発明の第１態様では、通気路がカム部の前端において中空部から回転子の外面まで径方向外側に延びていることが好ましい。
【発明の効果】
【００１２】
本発明によれば、回転子が中空部を有し、回転子のカム部の内部が中空であるので、カム部におけるヒケの発生を抑制することができる。また、挿入部の後端が閉塞しているので、挿入部の後端にパーティング面が形成されず、挿入部の後端におけるバリの発生を抑制することができる。さらに、回転子が、中空部から回転子の外面まで径方向外側に延びている通気路を有しているので、回転子を通してインク収容管に空気を送り込むことができ、インクの吐出性能を確保することができる。したがって、本発明によれば、インクの吐出性能を悪化させることなく、ヒケやバリといった回転子の成形不良の発生を抑制することができるノック式筆記具が提供される。
【図面の簡単な説明】
【００１３】
【図１】図１（ａ）〜（ｃ）は、それぞれ、本発明の実施形態に係る回転子の正面図、平面図及び底面図である。
【図２】図２は、図１（ｂ）のＡ−Ａ線に沿った断面図である。
【図３】図３（ａ）、（ｂ）は、それぞれ、従来技術に係るノック式筆記具の正面図及び右側面図である。
【図４】図４は、従来技術に係るノック式筆記具の概略分解斜視図である。
【図５】図５は、内筒、ノック棒及び回転子の拡大分解斜視図である。
【図６】図６（ａ）〜（ｃ）は、それぞれ、従来技術に係る回転子の正面図、平面図及び底面図である。
【図７】図７は、図６（ｂ）のＢ−Ｂ線に沿った断面図である。
【発明を実施するための形態】
【００１４】
最初に、図３及び図４を参照して、従来技術に係るノック式筆記具について説明する。なお、本発明に係るノック式筆記具は、回転子の形状を除いて、従来技術に係るノック式筆記具と同様の構成を有する。
【００１５】
図３（ａ）、（ｂ）は、それぞれ、従来技術に係るノック式筆記具１の正面図及び右側面図である。図４は、従来技術に係るノック式筆記具１の概略分解斜視図である。この例では、ノック式筆記具１はノック式ボールペンである。なお、図３に示されるように、本明細書において、ノック式筆記具１の先端すなわちペン先側をノック式筆記具１の「前」側と定義し、ノック式筆記具１の軸線方向（長手方向）に沿ってノック式筆記具１のペン先とは反対側をノック式筆記具１の「後」側と定義する。また、ノック式筆記具１の構成部品についても、ノック式筆記具１の組立状態において、ノック式筆記具１のペン先側を構成部品の「前」側と定義し、ノック式筆記具１の軸線方向に沿ってノック式筆記具１のペン先とは反対側を構成部品の「後」側と定義する。
【００１６】
図３（ａ）、（ｂ）に示されるように、ノック式筆記具１は、円筒状の軸筒２と、軸筒２の後端に装着されたノックカバー３と、軸筒２の前端に装着されたクチプラ４と、軸筒２の外周面上に形成されたグリップゴム５とを備える。クチプラ４は、例えば、クチプラ４の内周面に形成された雌ネジが軸筒２の前部の外周面に形成された雄ネジと螺合することによって軸筒２に装着される。グリップゴム５は典型的には二色成形によって軸筒２の外面上に形成される。なお、軸筒２はクリップ２１を有してもよい。また、クチプラ４と軸筒２とは一体であってもよい。
【００１７】
図４に示されるように、ノック式筆記具１は、さらに、軸筒２内の後部に固定され、軸筒２の一部を形成する内筒６と、内筒６内に配設され、軸筒２から後方に突出するノック棒７と、内筒６内に配設され、ノック棒７の前方に位置する回転子８ａと、軸筒２内に配設され、回転子８ａの前端に当接するインク収容管９と、クチプラ４内に配設され、インク収容管９を後方に付勢するスプリング１０と、インク収容管９の前端に装着されたボールペンチップ１１とを備える。なお、内筒６は軸筒２と一体であってもよい。
【００１８】
以下、図５を参照して、筆記具の後端部をノックすることによってペン先を出没させるためのノック機構の構成及び動作について説明する。
【００１９】
最初にノック機構の構成について説明する。ノック機構は、内筒６の内周面に形成された外カム６１と、ノック棒７と、回転子８ａとから成る。図５は、内筒６、ノック棒７及び回転子８ａの拡大分解斜視図である。
【００２０】
内筒６の内周面の後部には、図５において破線で示されるように、４つの外カム６１が周方向に等間隔に形成されている。隣接する外カム６１間には、前後方向に延在する４つの溝６２が形成されている。各外カム６１は、前後方向に延在し且つ周方向に連続して配置された３つの棒状部から成る。真ん中に配置された第２の棒状部６１２は、後述するノック棒７の突起７１が、両端の第１の棒状部６１１と第３の棒状部６１３との間、すなわち、第２の棒状部６１２の上に収容されるように、第１の棒状部６１１と第３の棒状部６１３との間に凹部を形成すべく第１の棒状部６１１及び第３の棒状部６１３よりも薄い径方向の厚みを有する。なお、内筒６は、軸筒２に固定されているので、ノック操作によって移動しない。
【００２１】
ノック棒７の外周面の前部には、８つの突起７１が周方向に等間隔に形成されている。各突起７１は、ノック操作によって、外カム６１内、より具体的には第１の棒状部６１１と第３の棒状部６１３との間の凹部内、又は外カム６１間の溝６２内を前後方向に摺動するように構成される。また、ノック棒７の前端にはカム面７２が形成される。カム面７２は８つの山部７２１及び谷部７２２を有する。ノック棒７の後端部はノックカバー３と係合する。なお、ノックカバー３はノック棒７と一体であってもよい。
【００２２】
回転子８ａは、ノック棒７との芯合わせのためにノック棒７に挿入される挿入部８１ａと、ノック棒７と係合するカム部８２ａとを有する。カム部８２ａは挿入部８１ａよりも大きな外径を有する。カム部８２ａの後端には、ノック棒７のカム面７２と相補的な形状のカム受け面８３ａが形成されている。カム受け面８３ａはカム面７２と同様に８つの山部８３１ａ及び谷部８３２ａを有する。カム部８２ａの外周面には、前後方向に延在する４つの内カム８４ａが周方向に等間隔に形成されている。内カム８４ａは、カム面７２がカム受け面８３ａを押圧することによって回転子８ａが周方向に回転すると、外カム６１と前後方向に係合し又はその係合が解除されて外カム６１間の溝６２内に収容される。内カム８４ａが外カム６１間の溝６２内に収容されるとき、外カム６１は内カム８４ａ間の溝８５ａ内に収容される。
【００２３】
次いで、ノック機構の動作について説明する。
【００２４】
ペン先がクチプラ４内に没入している状態では、回転子８ａの内カム８４ａは内筒６の外カム６１間の溝６２内に収容されている。この状態からスプリング１０の付勢力に抗してノック棒７を前進させると、ノック棒７のカム面７２が回転子８ａのカム受け面８３ａを押圧し、回転子８ａがノック棒７と共に前進する。このとき、ノック棒７及び回転子８ａはカム面７２及びカム受け面８３ａを介して互いに軸線方向及び周方向の力を受ける。その後、内カム８４ａの後端が外カム６１の前端を越えると、回転子８ａの周方向の規制が解除されるので、回転子８ａは周方向の力によって周方向（前方から見て反時計回り）に回転する。一方、ノック棒７は、突起７１が外カム６１に当接することによって周方向の回転が規制されるので、周方向に回転しない。
【００２５】
この状態でノック棒７を離すと、ノック棒７及び回転子８ａはスプリング１０の付勢力によって後退する。このとき、周方向に回転した回転子８ａの内カム８４ａは内筒６の外カム６１と前後方向に係合する。この係合によって回転子８ａの後退が妨げられるので、回転子８ａに当接するインク収容管９に装着されたボールペンチップ１１は、クチプラ４から突出する。
【００２６】
一方、ペン先が突出している状態では、回転子８ａの内カム８４ａは内筒６の外カム６１と前後方向に係合している。この状態からスプリング１０の付勢力に抗してノック棒７を前進させると、ノック棒７のカム面７２が回転子８ａのカム受け面８３ａを押圧し、回転子８ａがノック棒７と共に前進する。このとき、ノック棒７及び回転子８ａはカム面７２及びカム受け面８３ａを介して互いに軸線方向及び周方向の力を受ける。その後、内カム８４ａの後端が外カム６１の前端を越えると、回転子８ａの周方向の規制が解除されるので、回転子８ａは周方向の力によって周方向（前方から見て反時計回り）に回転する。一方、ノック棒７は、突起７１が外カム６１に当接することによって周方向の回転が規制されるので、周方向に回転しない。
【００２７】
この状態でノック棒７を離すと、ノック棒７及び回転子８ａはスプリング１０の付勢力によって後退し、周方向に回転した内カム８４ａは外カム６１間の溝６２内に収容される。このとき、インク収容管９及びボールペンチップ１１もスプリング１０の付勢力によって後退するので、ボールペンチップ１１はクチプラ４内に没入する。
【００２８】
以下、図１及び図２を参照して、本発明の実施形態に係る回転子の形状について説明する。
【００２９】
図１（ａ）〜（ｃ）は、それぞれ、本発明の実施形態に係る回転子８ｂの正面図、平面図及び底面図である。図２は、図１（ｂ）のＡ−Ａ線に沿った断面図である。
【００３０】
回転子８ｂは、ノック棒７との芯合わせのためにノック棒７に挿入される挿入部８１ｂと、ノック棒７と係合するカム部８２ｂとを有する。カム部８２ｂは挿入部８１ｂよりも大きな外径を有する。カム部８２ｂの後端には、ノック棒７のカム面７２と相補的な形状のカム受け面８３ｂが形成されている。カム受け面８３ｂはカム面７２と同様に８つの山部８３１ｂ及び谷部８３２ｂを有する。カム部８２ｂの外周面には、前後方向に延在する４つの内カム８４ｂが周方向に等間隔に形成されている。内カム８４ｂは、カム面７２がカム受け面８３ｂを押圧することによって回転子８ｂが周方向に回転すると、外カム６１と前後方向に係合し又はその係合が解除されて外カム６１間の溝６２内に収容される。
【００３１】
回転子８ｂは樹脂の射出成形によって成形される。回転子８ｂの材料は例えばポリアセタール（ＰＯＭ）である。図２に示されるように、回転子８ｂは中空部８８を有する。中空部８８はカム部８２ｂの前端からカム８２ｂ部の後端を越えて挿入部８１ｂの途中まで延びている。このことによって、カム部８２ｂが肉抜き（肉盗み）されるので、成形時にカム部８２ｂにおけるヒケの発生を抑制することができる。
【００３２】
図２に示されるように、挿入部８１ｂの後部は閉塞している。このため、コアピンは挿入部８１ｂの途中まで延在し、コアピンの先端は、回転子８ｂの外側に配設されるキャビティと接触しない。したがって、挿入部８１ｂの後端がパーティング面とならないので、挿入部８１ｂの後端におけるバリの発生を防止することができる。また、コアピンの長さを短くすることができるので、金型内におけるコアピンの位置精度を高めることができると共に、成形時の圧力によるコアピンの折損が発生しにくくなる。
【００３３】
回転子８ｂは、さらに、中空部８８から回転子８ｂの外面まで径方向外側に延びている通気路８６を有する。通気路８６によって、挿入部８１ｂの後端が閉塞していても、回転子８ｂを通してインク収容管９に空気を送り込むことができる。
【００３４】
本実施形態では、図１（ａ）、（ｃ）に示されるように、二つの通気路８６がカム部８２ｂの前端において中空部８８から回転子８ｂの外面まで径方向外側に延びている。この場合、通気路８６がアンダーカットにならない形状を有しているので、前後方向に開く単純な二方向抜き金型によって回転子８ｂを成形することができる。なお、アンダーカットとは、成形品を金型から取り出すとき、金型に引っ掛かってしまう凸状又は凹状の部分を意味する。なお、通気路８６の数は一つ以上の他の数であってもよい。
【００３５】
以上、本発明に係る好適な実施形態を説明したが、本発明はこれら実施形態に限定されるものではなく、特許請求の範囲の記載内で様々な修正及び変更を施すことができる。例えば、ノック式筆記具は、ノック操作によってペン先が出没するタイプの筆記具であれば、マーカーペン等の他の筆記具であってもよい。
【符号の説明】
【００３６】
１    ノック式筆記具
２    軸筒
２１    クリップ
３    ノックカバー
４    クチプラ
５    グリップゴム
６    内筒
６１    外カム
６１１    第１の棒状部
６１２    第２の棒状部
６１３    第３の棒状部
６２    溝
７    ノック棒
７１    突起
７２    カム面
７２１    山部
７２２    谷部
８ａ、８ｂ    回転子
８１ａ、８１ｂ    挿入部
８２ａ、８２ｂ    カム部
８３ａ、８３ｂ    カム受け面
８３１ａ、８３１ｂ    山部
８３２ａ、８３２ｂ    谷部
８４ａ、８４ｂ    内カム
８５ａ、８５ｂ    溝
８６    通気路
８７    貫通孔
８８    中空部
９    インク収容管
１０    スプリング
１１    ボールペンチップ
【図１】
0006715564.tif 000002
【図２】
0006715564.tif 000003
【図３】
0006715564.tif 000004
【図４】
0006715564.tif 000005
【図５】
0006715564.tif 000006
【図６】
0006715564.tif 000007
【図７】
0006715564.tif 000008